(57)【要約】【課題】非対称ピストンリングを使用する場合のリング空間容量を減少させうる、ピストンリング溝を有するピストンを提供する。【解決手段】非対称断面輪郭を有するピストンリングを受け入れるためのピストンリング溝を有するピストンにおいて、ピストンリング溝の断面輪郭が、ガスギャップが自由に通流するように、ピストンリング（１，１０）の断面輪郭に適合させられる。【選択図】図１
2005321096.tif 000002
【特許請求の範囲】
【請求項１】
非対称断面輪郭を有するピストンリングを受け入れるためのピストンリング溝を有するピストンにおいて、
前記ピストンリング溝の断面輪郭が、ガスギャップが自由に連通するように、前記ピストンリング（１，１０）の断面輪郭に適合されていることを特徴とするピストンリング溝を有するピストン。
【請求項２】
背後側で傾斜面（２）によって画定される内部傾斜面を有するピストンリング（１）を用いる場合、ピストンリング溝がすみ肉部（４）を備え、このすみ肉部（４）は前記傾斜面（２）に対して間隔をもって平行に配置された傾斜面（３）によって画定されていることを特徴とする請求項１に記載のピストン。
【請求項３】
２つの画定面（１１，１２）によって形成される背後側の凹所を有するピストンリング（１０）を用いる場合、ピストンリング溝がすみ肉部（１５）を備え、このすみ肉部（１５）は前記凹所の画定面に対して間隔をもって平行に配置された面（１３，１４）によって画定されていることを特徴とする請求項１に記載のピストン。
【請求項４】
ピストンリングの上面（５）とピストンリング溝の上面（６）との間の垂直方向間隔（ａ）が、前記両傾斜面（２，３）相互間の垂直方向間隔（ａ′）にほぼ等しいことを特徴とする請求項１または２に記載のピストン。
【請求項５】
前記両傾斜面（２，３）相互間の水平方向間隔（ｒ′）が、前記ピストンリングの背後面（７）と前記ピストンリング溝の背後面（８）との間の間隔にほぼ等しく選択されていることを特徴とする請求項１、２、または４に記載のピストン。
【請求項６】
前記ピストンリングの上面（１６）と前記ピストンリング溝の上面（１７）との間の垂直方向間隔（ａ）が、前記凹所の下側の画定面（１２）と前記すみ肉部（１５）の下面（１４）との間の垂直方向間隔（ａ′）にほぼ等しいことを特徴とする請求項１または３に記載のピストン。
【請求項７】
前記上方の画定面（１１）とこれに平行な前記すみ肉部（１５）の面（１３）との間の水平方向間隔（ｒ′）が、前記ピストンリング（１０）の背後面（１８）と前記ピストンリング溝の背後面（１９）との間の水平方向間隔（ｒ）にほぼ等しく選択されていることを特徴とする請求項１、３、または６に記載のピストン。
【発明の詳細な説明】
【技術分野】
【０００１】
本発明は、非対称断面構造を有するピストンリングを受け入れるためのピストンリング溝を有するピストンに関する。
【背景技術】
【０００２】
非対称断面構造を有するピストンリングは斜めに傾いたたわみによって発生するねじりによる加速度的な封入能力増大の利点を提供する。それによって、より短い始動時間を達成することが可能になる。さらにこのピストンリングは動作中の熱変形を補償する。しかし、この種のピストンリングを用いる場合の欠点は、ピストンリング溝内の空間容積が大きいことである。これはリング装置内のガス運動特性およびピストンリングの動作挙動に対してマイナスの影響を持つ。
【発明の開示】
【発明が解決しようとする課題】
【０００３】
本発明の課題は、非対称ピストンリングを使用する場合のリング空間容量を減少させうるピストンリング溝を有するピストンを提供することである。
【課題を解決するための手段】
【０００４】
この課題は、本発明によれば、ピストンリング溝の断面輪郭が、ガスギャップが自由に連通するように、ピストンリングの断面輪郭に適合されることによって解決される。これによって、ピストンリングとピストンリング溝との間のガス容量を減少させることができる。
【０００５】
本発明の構成によれば、背後側で傾斜面によって画定される内部傾斜面を有するピストンリングを用いる場合、ピストンリング溝がすみ肉部を備え、このすみ肉部は前記傾斜面に対して間隔をもって平行に配置された傾斜面によって画定される。
【０００６】
本発明のさらなる構成によれば、２つの画定面によって形成される背後側の凹所を有するピストンリングを用いる場合、ピストンリング溝がすみ肉部を備え、このすみ肉部は凹所の画定面に対して間隔をもって平行に配置された面によって画定される。
【０００７】
他の特徴および利点は従属請求項および図面を参照して行う本発明の２つの実施例の説明から得られる。なお、これに関して、断面輪郭を示す縦断面図が示されている。
（発明を実施するための最良の形態）
【実施例１】
【０００８】
図１において、ピストンリング１は、上部背後側端に、傾斜面２によって画定される内部傾斜面を備えている。ピストンリング溝は傾斜面２に対して垂直方向間隔ａ′をもって対向する傾斜面３を備えている。傾斜面３は溝の奥深部ですみ肉部４を画定する。その場合、ピストンリング上面５は、ピストンリング溝上面６に対して間隔ａをもって位置している。こうすることによって形成されるガスギャップは、相互に間隔ａを有する両傾斜面２，３の間に連通している。このガスギャップは、ピストンリングの背後面７とピストンリング溝の背後面８との間で終端する。両傾斜面２，３の間には水平方向の間隔ｒ′が存在し、両背面７，８の間には水平方向の間隔ｒが存在する。間隔ａ，ａ′，ｒ，ｒ′の選択によって、ピストンリング１とピストンリング溝との間のギャップ内のガス容積が決定される。
【実施例２】
【０００９】
図２の実施例のピストンリング１０は、２つの画定面１１，１２によって形成されるＬ字状凹所２０を備えている。ここで画定面１１，１２は互いに直角な関係にある。しかし、両画定面１１，１２は、相互により大きな角度を持つようにすることも可能である。画定面１１に対して平行に、かつ間隔をもって、面１３が走る。この面１３は、画定面１６に平行に走る面１４と共に、すみ肉部１５を形成する。
【００１０】
ピストンリング１０は、ピストンリング溝の上面１７に平行に間隔ａをもって走るピストンリング上面１６を備えている。これによって形成されるガスギャップは、画定面１１とすみ肉部１５の面１３との間に続いている。これらの両面は、互いに直角な水平方向間隔ｒ′をもって配置されている。さらに画定面１２および面１４の間に垂直方向間隔ａ′が存在し、そこにガスギャップが形成されている。このガスギャップは、ピストンリング１０の背後面１８とこれに平行な、ピストンリング溝の背後面１９との間を走る。これら両面は、互いに水平方向間隔ｒをもって配置されている。この場合も、間隔ａ，ａ′，ｒ，ｒ′の選択によって、ピストンリング１０とピストンリング溝との間のガスギャップ内のガス容積が選択されうる。
【００１１】
基本設計として、間隔ａおよびａ′は等しく構成されると合目的的である。同様のことが間隔ｒおよびｒ′に対しても言える。しかし、これについては、両実施例に示されているように、異なることも可能である。その場合、ピストンリングおよびピストンリング溝の断面輪郭は互いに適合するようにする。
【００１２】
本発明は非対称コンプレッションピストンリングを使用する場合に特に有利に使用することができ。
【図面の簡単な説明】
【００１３】
【図１】内部傾斜面を有するピストンリング装置を示す縦断面図である。（実施例１）
【図２】Ｌ字状リングを有するピストンリング装置を示す縦断面図である。（実施例２）
【符号の説明】
【００１４】
１  ピストンリング
２  傾斜面
３  傾斜面
４  すみ肉部
５  ピストンリング上面
６  ピストンリング溝上面
７  背後面
８  背後面
１０  ピストンリング
１１  画定面
１２  画定面
１３  面
１４  面
１５  すみ肉部
１６  上面
１７  上面
１８  背後面
１９  背後面
２０  Ｌ字状凹所
【図１】
2005321096.tif 000003
【図２】
2005321096.tif 000004